(57)【要約】【課題】鉄骨梁のたわみがＡＬＣパネルに与える影響を最小限にする。【解決手段】鉄骨梁４１（取付アングル４２）に係合するイナズマプレート３５を備えるフレーム３０と、前記フレーム３０に係合するイナズマプレート２２を備えるＡＬＣパネル２０とからなるＡＬＣパネルユニット１０である。鉄骨梁４１にイナズマプレート３５が係合し、フレーム３０にイナズマプレート２２が係合するので、例えば、後から打設した床スラブコンクリートの重量により鉄骨梁４１がたわんで中央部が下がっても、鉄骨梁４１とフレーム３０との間、及びフレーム３０とＡＬＣパネル２０との間が摺動するので、隣り合うＡＬＣパネル２０から局所的に圧縮荷重を受ける恐れがなく、精度のよい外壁施工を行うことができる。【選択図】      図２
2004316341.tif 000002
【特許請求の範囲】
【請求項１】
鉄骨梁に係合するイナズマプレートを備えるフレームと、前記フレームに係合するイナズマプレートを備えるＡＬＣパネルとからなることを特徴とするＡＬＣパネルユニット。
【請求項２】
前記フレームに鉄骨梁との高さ位置調整具を備えることを特徴とする請求項１に記載のＡＬＣパネルユニット。
【請求項３】
建て入れた鉄骨架構にＡＬＣパネルユニットを取り付けて建物を施工する方法であって、鉄骨梁の中央部にイナズマプレートを介してＡＬＣパネルユニットを取り付け、次いで床コンクリートを打設した後に、前記ＡＬＣパネルユニットの高さ位置を調整することを特徴とする建物の施工方法。
【発明の詳細な説明】
【０００１】
【発明の属する技術分野】
本発明は、鉄骨造または鉄骨鉄筋造の建物の外壁に使用するＡＬＣパネルユニット及びＡＬＣパネルユニットを用いた建物の施工方法に関する。
【０００２】
【従来の技術】
軽量気泡コンクリートパネル（ＡＬＣパネル）は、断熱性、遮音性、耐火性に優れ、また加工も比較的容易なために、外壁の他にも間仕切壁、床等に利用されている。
【０００３】
ＡＬＣパネルを外壁材として鉄骨架構へ取り付ける方法としては、ＡＬＣパネルにアンカー部材を埋設し、鉄骨架構とアンカー部材とを溶接して接合することや、鉄骨架構に固定されたファスナーにアンカー部材を固定することで剛接合することが一般的である。
【０００４】
また、従来は１枚ずつ取り付けていたＡＬＣパネルを連結部材で一体化し、各ＡＬＣパネルの下部に設けた固定部材を鉄骨梁と係合させることで鉄骨架構に一度に取り付けることも行われている（例えば、特許文献１参照）。
【０００５】
ＡＬＣパネルをユニット化した場合には、クレーンでＡＬＣパネルユニットを取り付けるので、床スラブコンクリートの打設に先行して外壁を施工することも可能である。外壁を先行して施工する場合には外部足場が不要となるとともに、落下物災害を防止するための養生ネットの代わりとすることができ、風雨の影響を受けずに内部を施工することができる。（例えば、特許文献２参照）。
【０００６】
【特許文献１】
特開２００２−３４９００２号公報
【特許文献２】
特開平１１−２４７４４９号公報
【０００７】
【発明が解決しようとする課題】
しかし、床スラブコンクリートを打設すると、その重量により鉄骨梁がたわむ。ＡＬＣパネルユニットを床スラブコンクリートの打設に先行して上下の鉄骨梁に剛接合した場合には、床スラブコンクリートを打設した階のＡＬＣパネルユニットに引張荷重がかかる恐れや、下階のＡＬＣユニットパネルに圧縮荷重がかかる恐れがある。
【０００８】
また特許文献１の方法では、それぞれのＡＬＣパネルを鉄骨梁と係合させているが、ＡＬＣパネル同士を剛固定するので、隣り合うＡＬＣパネルから局所的に圧縮荷重を受ける恐れがあり、破損等、外壁の精度に悪影響を及ぼす恐れがある。
【０００９】
本発明の課題は、鉄骨梁のたわみがＡＬＣパネルに与える影響を最小限にすることにある。
【００１０】
【課題を解決するための手段】
以上の課題を解決するため、本発明の請求項１に記載の発明は、ＡＬＣパネルユニット１０であって、例えば図１に示すように、鉄骨梁（取付アングル４２）に係合するイナズマプレート（フレーム取付用イナズマプレート３５）を備えるフレーム３０と、前記フレーム３０に係合するイナズマプレート（パネル取付用イナズマプレート２２）を備えるＡＬＣパネル２０とからなることを特徴とする。
【００１１】
請求項１に記載の発明によれば、鉄骨梁４１にイナズマプレート３５が係合し、フレーム３０にイナズマプレート２２が係合するので、例えば、後から打設した床スラブコンクリートの重量により鉄骨梁４１がたわんで中央部が下がっても、鉄骨梁４１とフレーム３０との間、及びフレーム３０とＡＬＣパネル２０との間が摺動するので、隣り合うＡＬＣパネル２０から局所的に圧縮荷重を受ける恐れがなく、精度のよい外壁施工を行うことができる。
【００１２】
請求項２に記載の発明は、請求項１に記載のＡＬＣパネルユニット１０において、前記フレーム３０に鉄骨梁４１との高さ位置調整具（高さ調整アングル３６、高さ調整ボルト３７）を備えることを特徴とする。
【００１３】
請求項２に記載の発明によれば、高さ位置調整具により、ＡＬＣパネルユニット１０の高さ位置を鉄骨梁４１のたわみにより下がった分だけ上げることができ、さらに精度のよい外壁施工を行うことができる。
【００１４】
請求項３に記載の発明は、建て入れた鉄骨架構にＡＬＣパネルユニットを取り付けて建物を施工する方法であって、鉄骨梁４１の中央部にイナズマプレート３５を介してＡＬＣパネルユニット１０を取り付け、次いで床コンクリートを打設した後に、前記ＡＬＣパネルユニット１０の高さ位置を調整することを特徴とする。
【００１５】
請求項３に記載の発明によれば、床スラブコンクリートの打設に先行して鉄骨梁４１に外壁を施工することができ、外部足場や養生ネットを設ける必要がなくなる。また床スラブコンクリートを打設する際に風雨の影響を減少させることができる。
また鉄骨梁４１の中央部にイナズマプレート３５を介してＡＬＣパネルユニット１０を取り付けるので、例えば後から打設した床スラブコンクリートの重量により鉄骨梁４１がたわんでその中央部が下がっても、ＡＬＣパネルユニット１０の高さ位置をその分だけ上げて調整し、精度のよい外壁施工を行うことができる。
【００１６】
【発明の実施の形態】
以下に、本発明の実施の形態例について詳細に述べる。
図１は、本発明の建物の建築方法に用いるＡＬＣパネルユニット１０の内観図である。ＡＬＣパネルユニット１０は、ＡＬＣパネル２０と、フレーム３０とからなる。
【００１７】
ＡＬＣパネル２０には、上下または左右いずれかの長尺方向に間を空けて２箇所に、例えば図２（ａ）または図３（ａ）に示すように、アンカーボルト２１が埋設されている。そのアンカーボルト２１にパネル取付用イナズマプレート２２がナット２３により取り付けられている。
上下方向が長尺のＡＬＣパネル２０はパネル取付用イナズマプレート２２によりフレーム３０のパネル取付板３２に取り付けられる。左右方向が長尺のＡＬＣパネル２０はパネル取付用イナズマプレート２２によりフレーム３０の柱３４に取り付けられる。
【００１８】
フレーム３０は、開口補強アングル３１と、パネル取付板３２と、自重受けアングル３３と、柱３４ａ、３４ｂ、３４ｃと、フレーム取付用イナズマプレート３５と、高さ調整アングル３６と、高さ調整ボルト３６とからなる。
開口補強アングル３１は、それぞれ２本の梁部３１ａと２本の柱部３１ｂとからなり、柱部３１ｂの上下端が梁部３１ａに溶接され、梁部３１ａの左右端が柱に溶接されている。梁３１ａと柱部３１ｂとで囲まれる枠内には、図示しないサッシなどが取り付けられる。
【００１９】
パネル取付板３２は梁部３１ａと柱部３１ｂと柱３４とで囲まれる枠内の上端または下端に溶接されており、上下方向に長尺のＡＬＣパネル２０がパネル取付用イナズマプレート２２により取り付けられる。
自重受けアングル３３は、柱３４の下端に溶接されており、ＡＬＣパネル２０の重量を支持する。
【００２０】
左右の柱３４ａ、３４ｂは溝形鋼であり、溝部分を中央の柱３４ｃに向けている。中央の柱３４ｃはＨ形鋼であり、溝部分を左右の柱３４ａ、３４ｂの溝部分と向かい合わせている。左右及び中央の柱の向かい合う溝部分の間には、図２（ｃ）または図３（ｃ）に示すように、左右方向に長尺のＡＬＣパネル２０のパネル取付用イナズマプレート２２が係合し取り付けられる。
【００２１】
柱３４ａ、３４ｂ、３４ｃには、それぞれ上下２箇所にフレーム取付用イナズマプレート３５、３５がボルト３８とナット３９により取り付けられている。フレーム取付用イナズマプレート３５は、鉄骨梁４１に設けられた取付アングル４２と係合し、フレーム３０を鉄骨梁４１に取り付ける。
【００２２】
また、柱３４ａ、３４ｂ、３４ｃにはそれぞれ高さ調整アングル３６ａ、３６ｂ、３６ｃが溶接されている。左右の柱３４ａ、３４ｂに取り付けられた高さ調整アングル３６ａ、３６ｂは中央の柱３４ｃに取り付けられる高さ調整アングル３６ｃよりも高い位置に取り付けられる。
高さ調整アングル３６ａ、３６ｂ、３６ｃには、それぞれ高さ調整ボルト３７ａ、３７ｂ、３７ｃが螺合しており、ＡＬＣパネルユニット１０を鉄骨梁４１に取り付け、床スラブコンクリートを打設した後に、ＡＬＣパネルユニット１０の高さ位置を調整する際に使用する。
【００２３】
図２は、ＡＬＣパネルユニット１０が取り付けられる鉄骨梁４１の中央部分を示す図であり、（ａ）は垂直断面図、（ｂ）は内観図、（ｃ）は平面断面図である。鉄骨梁４１中央部の上面と下面には、外壁面に沿って取付アングル４２が溶接されている。鉄骨梁４１上面の取付アングル４２はＡＬＣパネルユニット１０の下部のフレーム取付用イナズマプレート３５と係合する。鉄骨梁４１下面の取付アングル４２はＡＬＣパネルユニット１０の上部のフレーム取付用イナズマプレート３５と係合する。上下のＡＬＣパネルユニット１０同士の間は、耐火目地材等により現場でシールされる。
高さ調整アングル３６ｃに設けられる高さ調整ボルト３７ｃは下端部分が鉄骨梁４１と当接し、ＡＬＣパネルユニット１０の高さ位置を調整する。
【００２４】
図３は、ＡＬＣパネルユニット１０が取り付けられる鉄骨梁４１の両端部分を示す図であり、（ａ）は垂直断面図、（ｂ）は内観図、（ｃ）は平面断面図である。鉄骨梁４１両端は鉄骨柱４３に溶接されている。鉄骨梁４１の上面と下面には、両端から離れて、中央部と同様に、外壁面に沿って取付アングル４２が溶接されている。
【００２５】
鉄骨柱４３の外壁側には、鉄骨梁４１よりも上部に間隔を空けてアングル台４４が鉄骨梁４１と平行に溶接されている。アングル台４４には、高さ調整アングル３６ａ、３６ｂにそれぞれ設けられた高さ調整ボルト３７ａ、３７ｂの下端部分が当接し、ＡＬＣパネルユニット１０の高さ位置を調整する。
【００２６】
上記のＡＬＣパネルユニット１０によれば、例えば後から打設した床スラブコンクリートの重量などにより鉄骨梁４１がたわんで中央部が下がっても、鉄骨梁４１とフレーム３０との間、及びフレーム３０とＡＬＣパネル２０との間が摺動するので、隣り合うＡＬＣパネル２０から局所的に圧縮荷重を受ける恐れがなく、精度のよい外壁施工を行うことができる。また高さ調整ボルト３７ａ、３７ｂ、３７ｃにより高さ位置を調整することができる。
また、地震等による振動も上記構造により吸収することができる。
【００２７】
次に、本発明の建物の施工方法について説明する。まず基礎及び土台の上に鉄骨梁４１、鉄骨柱４３等からなる鉄骨架構を建て入れる。次に鉄骨梁４１に取付アングル４２を溶接し、クレーン等を使用して鉄骨梁４１にあらかじめユニット化したＡＬＣパネルユニット１０を取付アングル４２に取り付ける。そして高さ調整ボルト３７ａ、３７ｂ、３７ｃでＡＬＣパネルユニットの高さ位置を調整した後、図示しないアングル部片を介して、高さ調整アングル３６ａ、３６ｂをアングル台４４に、柱３４ａ、３４ｂを梁４１にそれぞれ溶接固定する。
【００２８】
外壁の施工が完了したら、高さ調整アングル３６ｃ、高さ調整ボルト３７ｃの周囲を残して床スラブコンクリートを打設する。すると床スラブコンクリートの重量により、鉄骨梁４１がたわんでその中央部が下がる。
床スラブコンクリートが固化したら、高さ調整ボルト３７ｃによりＡＬＣパネルユニット１０の中央部分の高さ位置を調整する。最後に図示しないアングル部片を介して高さ調整アングル３６ｃ、柱３４ｃを鉄骨梁４１に溶接固定し、その周囲に床スラブコンクリートを打設する。
【００２９】
以上の建物の施工方法によれば、外壁を施工した後に鉄骨架構内部を施工するので、外部足場や養生ネットを設ける必要がなくなる。また床スラブコンクリートを打設する際に風雨の影響を減少させることができる。
【００３０】
なお、以上の実施の形態においては、角形鋼管の鉄骨柱やＨ形鋼の鉄骨梁としたが、本発明はこれに限定されるものではなく、溝形鋼等を使用しても良い。
また、フレームや鉄骨の接合方法もボルトや溶接等、任意であり、その他、具体的な細部構造等についても適宜に変更可能であることは勿論である。
【００３１】
【発明の効果】
請求項１に記載の発明によれば、鉄骨梁にイナズマプレートで係合するフレームにＡＬＣパネルがイナズマプレートで係合するので、例えば、後から打設した床スラブコンクリートの重量により鉄骨梁がたわんで中央部が下がっても、鉄骨梁とフレームとの間、及びフレームとＡＬＣパネルとの間が摺動するので、隣り合うＡＬＣパネルから局所的に圧縮荷重を受ける恐れがなく、精度のよい外壁施工を行うことができる。
【００３２】
請求項２に記載の発明によれば、請求項１に記載の発明と同様の効果が得られることに加えて、高さ位置調整具により、ＡＬＣパネルユニットの高さ位置を鉄骨梁のたわみにより下がった分だけ上げることができ、さらに精度のよい外壁施工を行うことができる。
【００３３】
請求項３に記載の発明によれば、床スラブコンクリートの打設に先行して外壁を施工することができ、外部足場や養生ネットを設ける必要がなくなる。また床スラブコンクリートを打設する際に風雨の影響を減少させることができる。
また鉄骨梁の中央部にイナズマプレートを介してＡＬＣパネルユニットを取り付けるので、例えば後から打設した床スラブコンクリートの重量により鉄骨梁がたわんでその中央部が下がっても、ＡＬＣパネルユニットの高さ位置をその分だけ上げて調整し、精度のよい外壁施工を行うことができる。
【図面の簡単な説明】
【図１】本発明の建物の建築方法に用いるＡＬＣパネルユニットの内観図である。
【図２】ＡＬＣパネルユニットが取り付けられる鉄骨梁の中央部分を示す図であり、（ａ）は垂直断面図、（ｂ）は内観図、（ｃ）は平面断面図である。
【図３】ＡＬＣパネルユニットが取り付けられる鉄骨梁の両端部分を示す図であり、（ａ）は垂直断面図、（ｂ）は内観図、（ｃ）は平面断面図である。
【符号の説明】
１０      ＡＬＣパネルユニット
２０      ＡＬＣパネル
２１      アンカーボルト
２２      パネル取付用イナズマプレート
２３、３９        ナット
３０      フレーム
３１      開口補強アングル
３１ａ  梁部
３１ｂ  柱部
３２      パネル取付板
３３      自重受けアングル
３４ａ、３４ｂ、３４ｃ            柱
３５      フレーム取付用イナズマプレート
３６ａ、３６ｂ、３６ｃ            高さ調整アングル
３７ａ、３７ｂ、３７ｃ            高さ調整ボルト
３８      ボルト
４１      鉄骨梁
４２      取付アングル
４３      鉄骨柱
４４      アングル台
【図１】
2004316341.tif 000003
【図２】
2004316341.tif 000004
【図３】
2004316341.tif 000005